(57)【要約】【課題】本発明は故人や先祖の供養が自然に行えると共に故人や先祖の生前の存在を想い起こして偲ぶことが可能となり、且つ、家系の歴史を子孫に伝える役目が可能となり、更に故人や先祖の位牌が他の位牌と差別化されて素早く見つけ出すことができる位牌及びそのメモリアル部材を提供することを目的とする。【解決手段】位牌本体１の札板11の背後にメモリアルパネル２を固着させ、少なくともメモリアルパネル２を位牌本体１の札板11よりも幅広と成す。またメモリアルパネル２の表面に写真入れ部21と表示部22を設け、メモリアルパネル２の下部に載置台座３を固定し、該載置台座３の上に位牌本体１を載置させると共に位牌本体１の脚台座12と載置台座３を固定させると良い。又、メモリアルパネル２と載置台座３をＬ形の一体ものとするのが好ましい。【選択図】図１
2009125120.tif 000002
【特許請求の範囲】
【請求項１】
位牌本体（１）の札板（11）の背後にメモリアルパネル（２）を固着させ、少なくとも、前記メモリアルパネル（２）が前記位牌本体（１）の前記札板（11）よりも幅広としたことを特徴とする位牌。
【請求項２】
前記メモリアルパネル（２）が、その表面に故人の写真（５），文字，図，彫刻のいずれか１つ、又はそれらの組合せで表示されたものである請求項１記載の位牌。
【請求項３】
前記メモリアルパネル（２）の上部に、写真（５）を着脱可能に装着する写真入れ部（21）が設けられ、該写真入れ部（21）が、四角形状の段付き穴（21a）と、該段付き穴（21a）に入れて配置する透明板（21b）及び押え板（21c）と、その押え板（21c）を押える押え具（21d）とから少なくとも成された請求項１記載の位牌。
【請求項４】
前記メモリアルパネル（２）の下部に載置台座（３）を固定し、該載置台座（３）の上に前記位牌本体（１）が載置されると共に該位牌本体（１）の脚台座（12）と前記載置台座（３）が固定された請求項１、２又は３記載の位牌。
【請求項５】
位牌本体（１）の札板（11）よりも幅広で且つ前記位牌本体（１）の高さよりも長い板状のメモリアルパネル（２）と、該メモリアルパネル（２）の下部に固定し且つ前記位牌本体（１）を載置させるための平板状の載置台座（３）とから成すと共にその形状がＬ字形状に成されたことを特徴とする位牌用メモリアル部材。
【請求項６】
前記メモリアルパネル（２）の上部に、写真（５）を着脱可能に装着する写真入れ部（21）が設けられ、該写真入れ部（21）が、四角形状の段付き穴（21a）と、該段付き穴（21a）に入れて配置する透明板（21b）及び押え板（21c）と、その押え板（21c）を押える押え具（21d）とから少なくとも成された請求項５記載の位牌用メモリアル部材。
【発明の詳細な説明】
【技術分野】
【０００１】
本発明は仏教等の宗教のしきたりに従って戒名等を記載して作製された正規の位牌に、メモリアルパネルをその背後に一体化させた位牌及び位牌用メモリアル部材に関する。
【背景技術】
【０００２】
一般に寺院の位牌堂に収められる位牌や、家庭の仏壇に納められる位牌は、その表面に「〇〇家先祖代々之霊位」或いは故人の戒名（法名）等が表示され、裏面に享年や俗名等が表示されるだけであるため、位牌に手を合せても故人の生前の姿や想いを心に描くことが困難であり、歴代の先祖を偲ぶことに対しても気持ちが薄れてしまうのが現状であった。又、位牌堂に収められた位牌を探す場合、日常生活と余り馴染みのない戒名等のため、位牌の見分けが簡単にできず、裏側の俗名を１個ずつ確認する必要があり、所望の位牌を探すことは面倒で且つ時間や手間が多く掛っているのが現状である。
【０００３】
このため、位牌に名前や写真のプレートを取付けたもの、台座表面にプレートを取付けたもの、位牌表面へ直接に名前を表示したもの、位牌表面に写真紙を装着したものなどが提案されている。例えば、特開２００１−１８６９７８号が提案されている。この構造は、設置台座と、該設置台座上に着脱自在に立設した状態で支持される表示板とから成り、設置台座は、平坦な設置面上に安定設置可能な底部と、２枚以上の表示板を立設するための支持部を有した上面とから成り、表示板は、支持部により支持される下端縁を有した板材とから成り、該板材の表裏面には夫々故人の戒名の他に、写真，経歴，遺言，家訓，家紋のうちの少なくとも１つが記載されたものであった。
【０００４】
しかしながら前記位牌に名前や写真を表示したものは、外観が既存の位牌と異なるため、宗教上又は慣習上の理由等から採用されにくく、そのような前記位牌は殆ど見られないのが現状である。一方、特開２００１−１８６９７８号の目的とするところは、正規の位牌を保有しない近親者等が故人を供養するため、或いは偲ぶための物品として、戒名の他に、故人の写真や経歴等の故人に関する情報を表示した簡易位牌であり、本発明のように正規の位牌或いは既存の位牌をそのまま用い、この位牌の背後にメモリアルパネルを一体化させるものとは異なると共に従来には本発明のような発想はなかった。
【特許文献１】特開２００１−１８６９７８号公報
【発明の開示】
【発明が解決しようとする課題】
【０００５】
本発明は故人や先祖の供養が自然に行え、且つ偲ぶことが可能となり、更に故人や先祖の位牌が他の位牌と差別化されて素早く見つけ出すことができる位牌を提供することを目的とする。
【０００６】
他の目的は、故人や先祖の生前の存在を想い起こすことができ、家系の歴史を子孫に伝える役目が可能となる位牌を提供するにある。
【０００７】
他の本発明は故人や先祖の供養が自然に行え、且つ偲ぶことが可能となり、更に故人や先祖の位牌が他の位牌と差別化されて素早く見つけ出すことができると共に既存の位牌に対して簡単に合体することが可能である位牌用メモリアル部材を提供することを目的とする。
【課題を解決するための手段】
【０００８】
本発明は上記現状に鑑み成されたものであり、つまり、位牌本体の札板の背後にメモリアルパネルを固着させ、少なくともメモリアルパネルを位牌本体の札板よりも幅広と成す。またメモリアルパネルの表面に、故人の写真，文字，図，彫刻のいずれか１つ、又はそれらの組合せで表示させると良く、メモリアルパネルの上部に写真入れ部を設け、メモリアルパネルの下部に載置台座を固定し、該載置台座の上に位牌本体を載置させると共に位牌本体の脚台座と載置台座を固定させると良い。尚、本発明で言う「位牌本体」とは、既存の正規の位牌或いはそれに相当する本格的な位牌を指すものとする。
【０００９】
又、位牌本体の札板よりも幅広で且つ位牌本体の高さよりも長い板状のメモリアルパネルと、メモリアルパネルの下部に固定し且つ位牌本体を載置させるための平板状の載置台座とから成すと共にその形状をＬ字形状に成す。またメモリアルパネルの上部に写真入れ部を設け、該写真入れ部が、四角形状の段付き穴と、該段付き穴に入れて配置する透明板及び押え板と、その押え板を押える押え具とから少なくとも成す。
【発明の効果】
【００１０】
請求項１のように位牌本体（１）の札板（11）の背後にメモリアルパネル（２）を固着させ、少なくともメモリアルパネル（２）を位牌本体（１）の札板（11）よりも幅広とすることにより、位牌本体（１）に対して、その背後の周囲に故人や先祖を偲ぶための手段や他の方法が施せるものとなるので、故人や先祖の供養がごく自然に行え、且つ、常に故人の姿や想いを偲ぶことが可能となり、更に故人や先祖の位牌が他の位牌と差別化されて素早く見つけ出すことができるものとなる。
【００１１】
請求項２のようにメモリアルパネル（２）の表面に、故人の写真（５），文字，図，彫刻のいずれか１つ、又はそれらの組合せで表示させることにより、故人や先祖が身近に感じることができ、より一層良い供養が自然に行え、且つ偲ぶことが可能となり、更に位牌堂に於いても故人や先祖の位牌が他の位牌と差別化されて素早く見つけ出すことができるものとなる。また故人や先祖の生前の姿を想い起こすことができ、家系の歴史を子孫に伝える役目が可能なものとなる。
【００１２】
請求項３に示すようにメモリアルパネル（２）の上部に、写真（５）が着脱可能に装着される写真入れ部（21）を設け、該写真入れ部（21）として、四角形状の段付き穴（21a）と、該段付き穴（21a）に入れて配置する透明板（21b）及び押え板（21c）と、その押え板（21c）を押える押え具（21d）とから少なくとも構成させることにより、写真（５）を定期的に交換することが出来るものとなるため、故人をより身近に偲ぶことが可能となる。
【００１３】
請求項４に示すようにメモリアルパネル（２）の下部に載置台座（３）を固定し、該載置台座（３）の上に位牌本体（１）を載置させると共に位牌本体（１）の脚台座（12）と載置台座（３）を固定させることにより、既存の位牌本体（１）に対しても外観を傷つけることなく、メモリアルパネル（２）をその背後に配して一体化することができる。またその一体化は誰にでも簡単に行えるものとなるため、位牌をより身近な存在とさせることが可能となる。
【００１４】
請求項５のように位牌本体（１）の札板（11）よりも幅広で且つ位牌本体（１）の高さよりも長い板状のメモリアルパネル（２）と、該メモリアルパネル（２）の下部に固定し且つ位牌本体（１）の脚台座（12）を載置させるための平板状の載置台座（３）とから成すと共にその形状をＬ字形状に成すことにより、既存の位牌本体（１）を一体化させることが簡単に出来るものとなる。また前記メモリアルパネル（２）と載置台座（３）を位牌本体（１）と同様な仕上げとすることにより、全体の格調の高さを維持できるものとなる。
【００１５】
請求項６のようにメモリアルパネル（２）の上部に、写真（５）を着脱可能に装着する写真入れ部（21）が設けられ、該写真入れ部（21）が、四角形状の段付き穴（21a）と、該段付き穴（21a）に入れて配置する透明板（21b）及び押え板（21c）と、その押え板（21c）を押える押え具（21d）とから少なくとも成すことにより、請求項３と同様な効果が得られる。
【発明を実施するための最良の形態】
【００１６】
図１、図２は本発明の実施形態を示す図であり、この図に基づいて説明する。（１）は寺院の位牌堂や家庭の仏壇に納められる正規の位牌本体であり、該位牌本体（１）には、表面に戒名や「〇〇家先祖代々之霊位」が表示されると共に裏面には作製年月日や享年及び俗名などが表示された札板（11）と、該札板（11）の下方に設けられた受台座，中間台座，脚台座（12）などがある。
【００１７】
（２）は位牌本体（１）の札板（11）の背後に固着させたメモリアルパネルであり、該メモリアルパネル（２）は札板（11）よりも幅広で且つ位牌本体（１）よりも高く、更に位牌本体（１）と同様な仕上げ、例えば黒塗り仕上げ等を施している。また前記メモリアルパネル（２）の位牌本体（１）の背後周囲の表面には、故人の写真（５），文字，図，彫刻のいずれか１つ、又はそれらの組合せで表示される表示部（22）と成している。又、前記メモリアルパネル（２）の上部の左右には、写真（５）が着脱可能に装着される写真入れ部（21）を設け、該写真入れ部（21）としては、四角形状に穿設された段付き穴（21a）と、該段付き穴（21a）に入れて配置する透明板（21b）及び押え板（21c）と、その押え板（21c）を押える一対の押え具（21d）と、該押え具（21d）を回動可能に軸支するためのタッピングネジ（21e）とから成されている。前記メモリアルパネル（２）の材質としては木材が好ましいが、プラスチック，金属，セラミックス等の板材を使用し、前記透明板（21b）の材質としてはプラスチックやガラスを用いると良い。尚、前記写真入れ部（21）を設ける位置はメモリアルパネル（２）の上部の左右に限定されるものではない。
【００１８】
（３）はメモリアルパネル（２）の下部と一体に固定された載置台座であり、該載置台座（３）の両側には位牌本体（１）を取付けるための固定ビス（４）用の取付穴（31）が穿設されている。また載置台座（３）の材質としてはメモリアルパネル（２）と同じにするのが好ましい（図３参照）。尚、前記載置台座（３）は、必ずしも必要ではない。（４）は載置台座（３）の底面から挿入して位牌本体（１）の脚台座（12）を固定させるための固定ビスであり、該固定ビス（４）としてはタッピングネジを用いるのが好ましい。
【００１９】
図３は他の本発明である位牌用メモリアル部材の実施形態を示す図であり、この図に基づいて説明する。（２）は既存の位牌本体（１）の札板（11）よりも幅広で且つ位牌本体（１）の高さよりも長い板状のメモリアルパネルであり、該メモリアルパネル（２）は位牌本体（１）と同様な仕上げ、例えば黒塗り仕上げなどを施している。また前記メモリアルパネル（２）の上部の左右には、写真（５）が着脱可能に装着される写真入れ部（21）を設け、該写真入れ部（21）としては、四角形状に穿設された段付き穴（21a）と、該段付き穴（21a）に入れて配置する透明板（21b）及び押え板（21c）と、その押え板（21c）を押える一対の押え具（21d）と、該押え具（21d）を回動可能に軸支するためのタッピングネジ（21e）とから成されている。前記メモリアルパネル（２）の材質としては木材が好ましいが、プラスチック，金属，セラミックス等の板材を使用し、前記透明板（21b）の材質としてはプラスチックやガラスを用いると良い。更にメモリアルパネル（２）の表面には、故人の写真（５）以外に、文字，図，彫刻が表示される表示部（22）を設けている。尚、前記写真入れ部（21）を設ける位置はメモリアルパネル（２）の上部の左右に限定されるものではない。（３）はメモリアルパネル（２）の下部と一体に固定された載置台座であり、該載置台座（３）の両側には位牌本体（１）を取付けるための取付穴（31）が穿設されている。又、前記載置台座（３）は前記メモリアルパネル（２）と固着してＬ字状に形成され、且つその表面仕上げは位牌本体（１）の仕上げと同じにするのが好ましい。
【００２０】
次に本発明の組立て方法について説明する。先ず始めに既存の位牌、つまり、位牌本体（１）を用意し、予め載置台座（３）の端部にメモリアルパネル（２）を立設させ、固定具或いは接着等の手段によってＬ字状に一体固定させておく。この時、メモリアルパネル（２）の表示部（22）には、必要に応じて故人の写真（５），文字，図，彫刻のいずれか１つ、又はそれらの組合せで表示させておく。先ず位牌本体（１）を載置台座（３）の上に載せ、載置台座（３）に設けた両側の取付穴（31）から錐やドリル等によって、脚台座（12）の下部へ固定ビス（４）用の下穴を直接穿設させる。次に固定ビス（４）によって、位牌本体（１）にメモリアルパネル（２）を一体化することにより、メモリアルパネル（２）は位牌本体（１）の背後に設けられるのである。尚、この時の位牌本体（１）の固定方法は前記固定ビス（４）以外に、例えば、接着剤や粘着剤を用いて、載置台座（３）と脚台座（12）を固定させたものとしても良い。又、前記メモリアルパネル（２）に載置台座（３）を取付けず、メモリアルパネル（２）だけを位牌本体（１）に固定させても良い。この時には、位牌本体（１）側とメモリアルパネル（２）側とに図示しないマグネットを取付け、その磁力で固定させたものとしても良い。尚、前記メモリアルパネル（２）だけを位牌本体（１）に固定する方法は、上記に限定されるものではない。
【００２１】
次に写真入れ部（21）に写真（５）が装着される場合について説明する。予め部材を外しておく。先ず始めに透明板（21b）の大きさに合せて写真（５）を切り、該写真（５）の上に透明板（21b）を置き、この状態で透明板（21b）側から段付き穴（21a）に挿入し、更に押え板（21c）を挿入する。そして押え具（21d）を回わして押え板（21c）の上に配置させることにより、写真（５）は段付き穴（21a）にセットされるのである（図２参照）。
【００２２】
このように写真入れ部（21）に写真（５）或いは遺影が装着されると共に表示部（22）には、必要に応じて故人に関する文字，図，彫刻のいずれか１つ、又はそれらの組合せで表示させるのが好ましい。例えば、文字として、故人の俗名，言葉，詩などを表示し、図としては絵や家紋及び図柄など、彫刻としては故人に係るものや家紋或いは龍やハス等の仏教関係の図柄などを、表示部（22）に表示させることにより、故人の生前の姿や想いを心に描くことが可能となると共に家系の歴史が子孫へ伝承される機会となり、且つ、歴代の先祖を偲ぶことに対しても想いが巡らせ易くなって、従来の如き歴代の先祖を偲ぶ気持ちが薄れてしまう恐れが激減するものとなるのである。尚、文字としての表示方法は書くだけでなく、彫り込み文字としても良い。
【図面の簡単な説明】
【００２３】
【図１】本発明の実施形態を示す斜視図である。
【図２】図１のＡ−Ａ断面図である。
【図３】他の本発明の実施形態を示す斜視図である。
【符号の説明】
【００２４】
１  位牌本体
11  札板
12  脚台座
２  メモリアルパネル
21  写真入れ部
21a  段付き穴
21b  透明板
21c  押え板
21d  押え具
３  載置台座
５  写真
【図１】
2009125120.tif 000003
【図２】
2009125120.tif 000004
【図３】
2009125120.tif 000005